(57)【要約】      （修正有）【課題】打球面が弾力性を有するゴルフクラブヘッドを提供する。【解決手段】ゴルフクラブヘッドは、ヘッド主体部１０およびフロントシェル２０を備える。ヘッド主体部１０は、頂部１１と、底部１２と、一側に形成された開口部１３に環状に形成された突起辺縁部１４を有する。フロントシェル２０は、フェイス部２１の周縁から一つの方向へ伸びて形成された壁面２２と、壁面２２の一端に形成された環状突起部２３とを有する。フロントシェル２０がヘッド主体部１０の開口部１３に被さり、壁面２２の一端の径方向内側の辺縁に形成される環状突起部２３がヘッド主体部１０の突起辺縁部１４と結合する。これにより、フェイス部２１の打球面が弾力性を有する。【選択図】図３
0003188619.tif 000002
【実用新案登録請求の範囲】
【請求項１】
ヘッド主体部およびフロントシェルを備え、
ヘッド主体部は、頂部と、底部と、一側に形成された開口部と、開口部に環状に形成された突起辺縁部と、一側に連結されたネック部とを有し、
フロントシェルは、フェイス部と、フェイス部の周縁から一つの方向へ伸びて形成された壁面と、壁面の一端に形成された環状突起部とを有し、
フロントシェルは、ヘッド主体部の開口部に被さり、前記環状突起部がヘッド主体部の前記突起辺縁部と結合することを特徴とする打球面が弾力性を有するゴルフクラブヘッド。
【請求項２】
フロントシェルの環状突起部は、壁面の一端の径方向内側の辺縁に形成されることを特徴とする請求項１に記載の打球面が弾力性を有するゴルフクラブヘッド。
【請求項３】
ヘッド主体部の突起辺縁部は、開口部の径方向外側の辺縁に形成されることを特徴とする請求項２に記載の打球面が弾力性を有するゴルフクラブヘッド。
【請求項４】
ヘッド主体部の突起辺縁部は、フロントシェルの環状突起部の径方向外側に被さることを特徴とする請求項２または請求項３に記載の打球面が弾力性を有するゴルフクラブヘッド。
【請求項５】
ヘッド主体部の突起辺縁部の伸びた長さは、フロントシェルの環状突起部の伸びた長さより大きいことを特徴とする請求項１に記載の打球面が弾力性を有するゴルフクラブヘッド。
【請求項６】
ヘッド主体部の頂部および底部は、一体成形され、内部が中空であることを特徴とする請求項１に記載の打球面が弾力性を有するゴルフクラブヘッド。
【請求項７】
ヘッド主体部は、頂部および底部二つの付属品から構成され、内部が中空であることを特徴とする請求項１に記載の打球面が弾力性を有するゴルフクラブヘッド。
【考案の詳細な説明】
【技術分野】
【０００１】
本考案は、ゴルフクラブに関し、詳しくは打球面が弾力性を有するゴルフクラブヘッドに関するものである。
【背景技術】
【０００２】
打球の飛距離を伸ばすために、ゴルフクラブの構造および弾力性を変えるほかにクラブヘッドの構造を変えることが一般的である。特許文献１により提示されたゴルフクラブヘッドはヘッド主体部とフロントシェルとが合わさることによって構成される。ヘッド主体部は開口部と、開口部に形成された環状嵌合溝とを有する。フロントシェルは環状突起部を有する。環状突起部は環状嵌合溝に嵌め込まれることでフロントシェルとヘッド主体部とを結合させる。該案により提示された構造はフロントシェルとヘッド主体部とをしっかり結合させることができるが、フロントシェルの環状突起部は環状嵌合溝上の二つの凸状部によって挟まれるため、フロントシェルの壁面が硬くなり、変形具合が悪くなるとともに打球面の弾力性を低下させる。
【先行技術文献】
【特許文献】
【０００３】
【特許文献１】台湾実用新案出願第９１２１２７２６号明細書
【考案の概要】
【考案が解決しようとする課題】
【０００４】
本考案は、上述した問題点に鑑み、打球面の弾力性を増大させることができるゴルフクラブヘッドを提供することを主な目的とする。
【課題を解決するための手段】
【０００５】
上述の目的を達成するために、本考案による打球面が弾力性を有するゴルフクラブヘッドは、ヘッド主体部およびフロントシェルを備える。ヘッド主体部は、頂部と、底部と、一側に形成された開口部と、開口部の外側辺縁に環状に形成された突起辺縁部と、一側に連結されたネック部とを有する。フロントシェルはフェイス部と、フェイス部の周縁から背面へ伸びて形成された壁面と、壁面の末端の内側辺縁に形成された環状突起部とを有する。フェイス部は正面が打球面である。フロントシェルはヘッド主体部の開口部に被さり、壁面の環状突起部が開口部の突起辺縁部と結合する。
【図面の簡単な説明】
【０００６】
【図１】本考案の一実施形態を示す斜視図である。
【図２】本考案の一実施形態を示す斜視分解図である。
【図３】本考案の一実施形態を示す断面図である。
【考案を実施するための形態】
【０００７】
以下、本考案による打球面が弾力性を有するゴルフクラブヘッドを図面に基づいて説明する。
（一実施形態）
図１から図３に示すように、本考案の一実施形態による打球面が弾力性を有するゴルフクラブヘッドは、ヘッド主体部１０およびフロントシェル２０を備える。
【０００８】
ヘッド主体部１０は、金属材料から構成され、頂部１１および底部１２を有し、内部が中空である。ヘッド主体部１０の頂部１１および底部１２は一体成形されるか、別々に製作された後、接合される。ヘッド主体部１０はさらに一側に形成された開口部１３と、開口部１３の外側辺縁に環状に形成された突起辺縁部１４と、一側に連結されたネック部１５とを有する。ネック部１５はシャフト（図中未表示）に連結される。
【０００９】
フロントシェル２０は、フェイス部２１と、フェイス部２１の周縁から背面へ伸びて形成された壁面２２と、壁面２２の末端の内側辺縁に形成された環状突起部２３とを有する。フェイス部２１は形がヘッド主体部１０の開口部１３に対応し、正面が打球面である。フロントシェル２０はヘッド主体部１０の開口部１３に被さり、壁面２２の環状突起部２３が開口部１３の突起辺縁部１４と結合する。ヘッド主体部１０の突起辺縁部１４はフロントシェル２０の環状突起部２３の径方向外側に位置付けられ、フロントシェル２０の環状突起部２３に径方向外側から被さる。ヘッド主体部１０の突起辺縁部１４の伸びた長さはフロントシェル２０の環状突起部２３の伸びた長さより大きい。
【００１０】
フロントシェル２０とヘッド主体部１０を連結する際、接着剤を使用するか、溶接、一般のはんだ付け、ろう付けまたは爆発溶接など方式を使用することができる。フロントシェル２０およびヘッド主体部１０は金属材料から構成される。
【００１１】
本考案の一実施形態によるゴルフクラブヘッドによると、フロントシェル２０の打球面がボールの衝撃を受ける際、図３に示すように、打球面は打撃力Ｆ１によってヘッド主体部１０の方向へ変形すると同時にフェイス部２１を内部へ変形させるため、フロントシェル２０の壁面２２とフェイス部２１の連結箇所は支点を構成し、図３中のＦ２に示すように壁面２２を径方向外側へ拡大させる。このときヘッド主体部１０の突起辺縁部１４はフロントシェル２０の環状突起部２３の外側に被さることによって収縮機能を有するため、拡張および変形作用が起こる際、ヘッド主体部１０はフロントシェル２０の壁面２２の径方向外側への拡大を抑制する。
【００１２】
一方、フロントシェル２０を原状に復元させる際、変形力は弾力に変わり、スプリング効果を果たすことによってボールの飛行時間および打球の飛距離を増加させることができる。このときフロントシェル２０の環状突起部２３の径方向内側への変形は束縛されないため、壁面２２は反対方向へ復元する際、あまり妨害されない。従って、従来の構造と比べて、本考案の一実施形態によると、弾性効果を有し、かつフェイス部２１のスプリング効果を向上させることによって従来の構造が比較的硬いという問題を改善し、ボールを打つ際の弾力性をより良好にすることができる。
【符号の説明】
【００１３】
１０：ヘッド主体部、  １１：頂部、  １２：底部、  １３：開口部、  １４：突起辺縁部、  １５：ネック部、  ２０：フロントシェル、  ２１：フェイス部、  ２２：壁面、  ２３：環状突起部。
【図１】
0003188619.tif 000003
【図２】
0003188619.tif 000004
【図３】
0003188619.tif 000005